(57)【要約】【課題】発光素子の温度変動を低減するとともに、発光素子の駆動信号として高周波信号を用いても、その駆動信号の損失を低減することができる発光素子モジュール、量子干渉装置、原子発振器、電子機器および移動体を提供すること。【解決手段】本発明の発光素子モジュールは、温度調節素子３２と、温度調節素子３２の温度調節面に配置されている発光素子３３と、温度調節面に配置されている金属層３２３と、金属層３２３を介して温度調節面に配置されている中継部材３５と、中継部材３５の温度調節面と反対側の面に配置されている配線層３５３と、発光素子３３と配線層３５３とを電気的に接続している配線９２ａと、接続電極３８ａと配線層３５３とを電気的に接続している配線９２ｂと、を備え、配線層３５３は、平面視において、金属層３２３の中継部材３５と重なる領域よりも面積が小さい。【選択図】図６
2018125543.tif 000002
【特許請求の範囲】
【請求項１】
温度調節される温度調節面を有する温度調節部と、
前記温度調節面上に配置されている発光素子と、
前記温度調節面上に配置されている金属層と、
前記金属層を介して前記温度調節面上に配置されている中継部材と、
前記中継部材の前記温度調節面と反対側の面上に配置されている配線層と、
前記発光素子と前記配線層とを電気的に接続している素子側配線と、
外部端子と、
前記外部端子と前記配線層とを電気的に接続している端子側配線と、を備え、
前記配線層は、前記金属層と前記配線層とが並ぶ方向から見た平面視において、前記金属層の前記中継部材と重なる領域よりも面積が小さいことを特徴とする発光素子モジュール。
【請求項２】
前記温度調節部は、ペルチェ素子であり、
前記温度調節面は、前記ペルチェ素子の発熱面または吸熱面である請求項１に記載の発光素子モジュール。
【請求項３】
前記素子側配線および前記端子側配線のうちの少なくとも一方の配線がワイヤー配線である請求項１または２に記載の発光素子モジュール。
【請求項４】
前記端子側配線が複数である請求項３に記載の発光素子モジュール。
【請求項５】
前記配線層は、前記素子側配線が接続されている第１端部と、前記端子側配線が接続されている第２端部とを有し、前記第１端部と前記第２端部とが並ぶ方向に沿って延びている長手形状をなしている請求項１ないし４のいずれか１項に記載の発光素子モジュール。
【請求項６】
前記第２端部の幅が前記第１端部の幅よりも大きい請求項５に記載の発光素子モジュール。
【請求項７】
前記配線層は、前記第２端部側から前記第１端部側に向けて、幅が連続的に減少している部分を有している請求項６に記載の発光素子モジュール。
【請求項８】
前記中継部材は、セラミックス材料を含んでいる請求項１ないし７のいずれか１項に記載の発光素子モジュール。
【請求項９】
前記配線層は、金を含んで構成されている表層と、前記表層と前記中継部材との間に設けられている下地層と、を有している請求項１ないし８のいずれか１項に記載の発光素子モジュール。
【請求項１０】
前記下地層は、前記中継部材上に、チタンを含んで構成されている第１層と、パラジウムを含んで構成されている第２層とがこの順で積層されて構成されている請求項９に記載の発光素子モジュール。
【請求項１１】
前記温度調節面上に配置されている温度検出素子と、
金属層を介して前記温度調節面上に配置されている温度検出素子用中継部材と、
前記温度検出素子用中継部材の前記温度調節面と反対側の面上に配置されている温度検出素子用配線層と、
前記温度検出素子と前記温度検出素子用配線層とを電気的に接続している温度検出素子側配線と、
温度検出素子用外部端子と、
前記温度検出素子用外部端子と前記温度検出素子用配線層とを電気的に接続している温度検出素子用端子側配線と、
を備えている請求項１ないし１０のいずれか１項に記載の発光素子モジュール。
【請求項１２】
請求項１ないし１１のいずれか１項に記載の発光素子モジュールを備えることを特徴とする量子干渉装置。
【請求項１３】
請求項１ないし１１のいずれか１項に記載の発光素子モジュールを備えることを特徴とする原子発振器。
【請求項１４】
請求項１ないし１１のいずれか１項に記載の発光素子モジュールを備えることを特徴とする電子機器。
【請求項１５】
請求項１ないし１１のいずれか１項に記載の発光素子モジュールを備えることを特徴とする移動体。
【発明の詳細な説明】
【技術分野】
【０００１】
本発明は、発光素子モジュール、量子干渉装置、原子発振器、電子機器および移動体に関するものである。
【背景技術】
【０００２】
発光素子を温度調節素子により温度調節する発光素子モジュールが知られている（例えば、特許文献１参照）。このような発光素子モジュールは、発光素子の発光状態を高精度に制御することが必要な機器、例えば、ルビジウム、セシウム等のアルカリ金属の原子のエネルギー遷移に基づいて発振する原子発振器に用いられる。
例えば、特許文献１に記載の発光素子モジュールは、ペルチェ素子（温度調節素子）と、ペルチェ素子上に搭載されている半導体レーザー（発光素子）と、を備え、これらがパッケージ内に収納されている。また、特許文献１に記載の発光素子モジュールでは、ペルチェ素子上に絶縁部材が配置されており、発光素子上の電極とパッケージ上の電極とを電気的に接続する配線の途中がその絶縁部材上のパッドに接続されている。これにより、かかる配線をも温度調節し、発光素子を高精度に温度調節することができる。
【０００３】
しかし、特許文献１に記載の発光素子モジュールでは、絶縁部材上の電極とペルチェ素子上の金属層との間に大きな静電容量が生じてしまうため、発光素子の駆動信号として高周波信号を用いた場合に、駆動信号の損失が大きいという問題があった。例えば、波長の異なる２種類の光による量子干渉効果（ＣＰＴ：Coherent Population Trapping）を利用した方式の原子発振器においては、一般に、高周波信号を駆動信号として用いて、１つの半導体レーザーから波長の異なる２種の光を出射させるため、かかる問題が生じる。
【先行技術文献】
【特許文献】
【０００４】
【特許文献１】特開２０１３−１６２０３１号公報
【発明の概要】
【発明が解決しようとする課題】
【０００５】
本発明の目的は、発光素子の温度変動を低減するとともに、発光素子の駆動信号として高周波信号を用いても、その駆動信号の損失を低減することができる発光素子モジュールを提供すること、また、かかる発光素子モジュールを備える優れた信頼性を有する量子干渉装置、原子発振器、電子機器および移動体を提供することにある。
【課題を解決するための手段】
【０００６】
本発明は、上述の課題の少なくとも一部を解決するためになされたものであり、以下の形態または適用例として実現することが可能である。
［適用例１］
本発明の発光素子モジュールは、温度調節される温度調節面を有する温度調節部と、
前記温度調節面上に配置されている発光素子と、
前記温度調節面上に配置されている金属層と、
前記金属層を介して前記温度調節面上に配置されている中継部材と、
前記中継部材の前記温度調節面と反対側の面上に配置されている配線層と、
前記発光素子と前記配線層とを電気的に接続している素子側配線と、
外部端子と、
前記外部端子と前記配線層とを電気的に接続している端子側配線と、を備え、
前記配線層は、前記金属層と前記配線層とが並ぶ方向から見た平面視において、前記金属層の前記中継部材と重なる領域よりも面積が小さいことを特徴とする。
【０００７】
このような発光素子モジュールによれば、温度調節面により温度調節される中継部材上の配線層が、発光素子と外部端子とを電気的に接続している配線の途中（素子側配線と端子側配線との間）に介在しているため、かかる配線の温度変動が低減され、それに伴って、発光素子の温度変動も低減することができる。
しかも、配線層の面積を中継部材と金属層との重なる領域の面積よりも小さくすることで、配線層と金属層との間の静電容量を小さくし、発光素子に供給する駆動信号として高周波信号を用いても、駆動信号の損失を低減することができる。また、中継部材の実装性を確保することができる。
【０００８】
［適用例２］
本発明の発光素子モジュールでは、前記温度調節部は、ペルチェ素子であり、
前記温度調節面は、前記ペルチェ素子の発熱面または吸熱面であることが好ましい。
これにより、発光素子を好適に温度調節することができる。また、ペルチェ素子は、一般に、発熱面または吸熱面が金属層で構成されており、配線層が設けられた中継部材を発熱面上または吸熱面上に配置すると、発熱面または吸熱面との間で静電容量が生じることとなる。
【０００９】
［適用例３］
本発明の発光素子モジュールでは、前記素子側配線および前記端子側配線のうちの少なくとも一方の配線がワイヤー配線であることが好ましい。
これにより、ワイヤーボンディングにより、配線の形成を比較的容易なものとしながら、配線層の配線との接続に必要な面積を比較的小さくすることができる。そのため、配線層の面積を小さくすることができる。
［適用例４］
本発明の発光素子モジュールでは、前記端子側配線が複数であることが好ましい。
これにより、端子側配線の電気抵抗を小さくし、発光素子に供給する駆動信号の損失を低減することができる。
【００１０】
［適用例５］
本発明の発光素子モジュールでは、前記配線層は、前記素子側配線が接続されている第１端部と、前記端子側配線が接続されている第２端部とを有し、前記第１端部と前記第２端部とが並ぶ方向に沿って延びている長手形状をなしていることが好ましい。
これにより、配線層の面積を小さくしつつ、配線層の配線との接続に必要な面積を確保することができる。
【００１１】
［適用例６］
本発明の発光素子モジュールでは、前記第２端部の幅が前記第１端部の幅よりも大きいことが好ましい。
これにより、配線層の面積を小さくしつつ、複数の端子側配線を配線層の第２端部に接続することができる。
【００１２】
［適用例７］
本発明の発光素子モジュールでは、前記配線層は、前記第２端部側から前記第１端部側に向けて、幅が連続的に減少している部分を有していることが好ましい。
これにより、発光素子に供給する高周波の駆動信号が配線層で損失するのを低減することができる。
【００１３】
［適用例８］
本発明の発光素子モジュールでは、前記中継部材は、セラミックス材料を含んでいることが好ましい。
これにより、中継部材の絶縁性を確保することができる。また、中継部材の熱容量を比較的大きくすることができ、その結果、配線層および素子側配線の温度変動を低減することができる。また、熱伝導性に優れたセラミックスを用いることにより、配線層の温度調節を効率的に行うことができる。
【００１４】
［適用例９］
本発明の発光素子モジュールでは、前記配線層は、金を含んで構成されている表層と、前記表層と前記中継部材との間に設けられている下地層と、を有していることが好ましい。
これにより、ワイヤーボンディングにより形成される素子側配線および端子側配線と配線層との密着性、および、配線層と中継部材との密着性を優れたものとすることができる。
【００１５】
［適用例１０］
本発明の発光素子モジュールでは、前記下地層は、前記中継部材上に、チタンを含んで構成されている第１層と、パラジウムを含んで構成されている第２層とがこの順で積層されて構成されていることが好ましい。
これにより、配線層と中継部材との密着性を優れたものとすることができる。
【００１６】
［適用例１１］
本発明の発光素子モジュールでは、前記温度調節面上に配置されている温度検出素子と、
金属層を介して前記温度調節面上に配置されている温度検出素子用中継部材と、
前記温度検出素子用中継部材の前記温度調節面と反対側の面上に配置されている温度検出素子用配線層と、
前記温度検出素子と前記温度検出素子用配線層とを電気的に接続している温度検出素子側配線と、
温度検出素子用外部端子と、
前記温度検出素子用外部端子と前記温度検出素子用配線層とを電気的に接続している温度検出素子用端子側配線と、
を備えていることが好ましい。
これにより、温度調節面により温度調節される温度検出素子用中継部材上の温度検出素子用配線層が、温度検出素子と温度検出素子用外部端子とを電気的に接続している配線の途中に介在しているため、かかる配線の温度変動が低減され、それに伴って、温度検出素子の温度変動も低減することができる。
【００１７】
［適用例１２］
本発明の量子干渉装置は、本発明の発光素子モジュールを備えることを特徴とする。
これにより、優れた信頼性を有する量子干渉装置を提供することができる。
［適用例１３］
本発明の原子発振器は、本発明の発光素子モジュールを備えることを特徴とする。
これにより、優れた信頼性を有する原子発振器を提供することができる。
【００１８】
［適用例１４］
本発明の電子機器は、本発明の発光素子モジュールを備えることを特徴とする。
これにより、優れた信頼性を有する電子機器を提供することができる。
［適用例１５］
本発明の移動体は、本発明の発光素子モジュールを備えることを特徴とする。
これにより、優れた信頼性を有する移動体を提供することができる。
【図面の簡単な説明】
【００１９】
【図１】本発明の実施形態に係る原子発振器（量子干渉装置）を示す概略図である。
【図２】アルカリ金属のエネルギー状態を説明するための図である。
【図３】光出射部から出射される２つの光の周波数差と、光検出部で検出される光の強度との関係を示すグラフである。
【図４】図１に示す原子発振器が備える光出射部（発光素子モジュール）の斜視図である。
【図５】図４に示す光出射部の断面図である。
【図６】図４に示す光出射部の平面図である。
【図７】図４に示す光出射部が備える中継部材の断面図である。
【図８】（ａ）は、図７に示す中継部材の裏面図、（ｂ）は、図７に示す中継部材の表面図である。
【図９】ＧＰＳ衛星を利用した測位システムに本発明の原子発振器を用いた場合の概略構成を示す図である。
【図１０】本発明の移動体の一例を示す図である。
【発明を実施するための形態】
【００２０】
以下、本発明の発光素子モジュール、量子干渉装置、原子発振器、電子機器および移動体を添付図面に示す実施形態に基づいて詳細に説明する。
１．原子発振器（量子干渉装置）
まず、本発明の原子発振器（本発明の量子干渉装置を備える原子発振器）について説明する。なお、以下では、本発明の量子干渉装置を原子発振器に適用した例を説明するが、本発明の量子干渉装置は、これに限定されず、原子発振器の他、例えば、磁気センサー、量子メモリー等にも適用可能である。
【００２１】
図１は、本発明の実施形態に係る原子発振器（量子干渉装置）を示す概略図である。また、図２は、アルカリ金属のエネルギー状態を説明するための図である。また、図３は、光出射部から出射される２つの光の周波数差と、光検出部で検出される光の強度との関係を示すグラフである。
図１に示す原子発振器１は、量子干渉効果を利用した原子発振器である。
この原子発振器１は、図１に示すように、ガスセル２と、光出射部３（発光素子モジュール）と、光学部品４１、４２、４３、４４と、光検出部５と、ヒーター６と、温度センサー７と、磁場発生部８と、制御部１０とを備える。
【００２２】
まず、原子発振器１の原理を簡単に説明する。
図１に示すように、原子発振器１では、光出射部３がガスセル２に向けて励起光ＬＬを出射し、ガスセル２を透過した励起光ＬＬを光検出部５が検出する。
ガスセル２内には、ガス状のアルカリ金属（金属原子）が封入されており、アルカリ金属は、図２に示すように、３準位系のエネルギー準位を有し、エネルギー準位の異なる２つの基底状態（基底状態１、２）と、励起状態との３つの状態をとり得る。ここで、基底状態１は、基底状態２よりも低いエネルギー状態である。
【００２３】
光出射部３から出射された励起光ＬＬは、周波数の異なる２種の共鳴光１、２を含んでおり、この２種の共鳴光１、２を前述したようなガス状のアルカリ金属に照射したとき、共鳴光１の周波数ω１と共鳴光２の周波数ω２との差（ω１−ω２）に応じて、共鳴光１、２のアルカリ金属における光吸収率（光透過率）が変化する。
そして、共鳴光１の周波数ω１と共鳴光２の周波数ω２との差（ω１−ω２）が基底状態１と基底状態２とのエネルギー差に相当する周波数ω０に一致したとき、基底状態１、２から励起状態への励起がそれぞれ停止する。このとき、共鳴光１、２は、いずれも、アルカリ金属に吸収されずに透過する。このような現象をＣＰＴ現象または電磁誘起透明化現象（ＥＩＴ：Electromagnetically Induced Transparency）と呼ぶ。
【００２４】
例えば、光出射部３が共鳴光１の周波数ω１を固定し、共鳴光２の周波数ω２を変化させていくと、共鳴光１の周波数ω１と共鳴光２の周波数ω２との差（ω１−ω２）が基底状態１と基底状態２とのエネルギー差に相当する周波数ω０に一致したとき、光検出部５の検出強度は、図３に示すように、急峻に上昇する。このような急峻な信号をＥＩＴ信号として検出する。このＥＩＴ信号は、アルカリ金属の種類によって決まった固有値をもっている。したがって、このようなＥＩＴ信号を用いることにより、長期的に安定な周波数特性を有する発振器を構成することができる。
【００２５】
以下、原子発振器１の各部を順次説明する。
［ガスセル］
ガスセル２内には、ガス状のアルカリ金属が封入されている。また、ガスセル２内には、緩衝ガスがアルカリ金属ガスとともに封入されている。また、ガスセル２内には、必要に応じて、アルゴン、ネオン等の希ガス、窒素等の不活性ガスが緩衝ガスとしてアルカリ金属ガスとともに封入されている。
【００２６】
例えば、ガスセル２は、図示しないが、柱状の貫通孔を有する本体部と、その貫通孔の両開口を封鎖する１対の窓部とを有する。これにより、前述したようなアルカリ金属が封入される内部空間が形成されている。
本体部を構成する材料としては、特に限定されず、金属材料、樹脂材料、ガラス材料、シリコン材料、水晶等が挙げられるが、加工性や窓部との接合の観点から、ガラス材料、シリコン材料を用いるのが好ましい。
このような本体部には、窓部が気密的に接合されている。これにより、ガスセル２の内部空間を気密空間とすることができる。
【００２７】
本体部と窓部との接合方法としては、これらの構成材料に応じて決められるものであり、特に限定されないが、例えば、接着剤による接合方法、直接接合法、陽極接合法等を用いることができる。
また、窓部を構成する材料としては、前述したような励起光ＬＬに対する透過性を有していれば、特に限定されないが、例えば、シリコン材料、ガラス材料、水晶等が挙げられる。
【００２８】
［光出射部］
光出射部３（発光素子モジュール）は、ガスセル２中のアルカリ金属原子を励起する励起光ＬＬを出射する機能を有する。
より具体的には、光出射部３は、励起光ＬＬとして、前述したような周波数の異なる２種の光（共鳴光１および共鳴光２）を出射する。
【００２９】
共鳴光１は、ガスセル２内のアルカリ金属を前述した基底状態１から励起状態へ励起（共鳴）し得るものである。一方、共鳴光２は、ガスセル２内のアルカリ金属を前述した基底状態２から励起状態へ励起（共鳴）し得るものである。
この光出射部３は、垂直共振器面発光レーザー（ＶＣＳＥＬ）等の半導体レーザー等の発光素子を含んで構成され、モジュール化されている。なお、光出射部３の構成については、後に詳述する。
【００３０】
［光学部品］
複数の光学部品４１、４２、４３、４４は、それぞれ、前述した光出射部３とガスセル２との間における励起光ＬＬの光路上に設けられている。
ここで、光出射部３側からガスセル２側へ、光学部品４１、光学部品４２、光学部品４３、光学部品４４の順に配置されている。
【００３１】
光学部品４１は、レンズである。これにより、励起光ＬＬを無駄なくガスセル２へ照射することができる。
また、光学部品４１は、励起光ＬＬを平行光とする機能を有する。これにより、励起光ＬＬがガスセル２の内壁で反射するのを簡単かつ確実に防止することができる。そのため、ガスセル２内での励起光の共鳴を好適に生じさせ、その結果、原子発振器１の発振特性を高めることができる。
【００３２】
光学部品４２は、偏光板である。これにより、光出射部３からの励起光ＬＬの偏光を所定方向に調整することができる。
光学部品４３は、減光フィルター（ＮＤフィルター）である。これにより、ガスセル２に入射する励起光ＬＬの強度を調整（減少）させることができる。そのため、光出射部３の出力が大きい場合でも、ガスセル２に入射する励起光を所望の光量とすることができる。本実施形態では、前述した光学部品４２を通過した所定方向の偏光を有する励起光ＬＬの強度を光学部品４３により調整する。
光学部品４４は、λ／４波長板である。これにより、光出射部３からの励起光ＬＬを直線偏光から円偏光（右円偏光または左円偏光）に変換することができる。
【００３３】
後述するように磁場発生部８の磁場によりガスセル２内のアルカリ金属原子がゼーマン分裂した状態において、仮に直線偏光の励起光をアルカリ金属原子に照射すると、励起光とアルカリ金属原子との相互作用により、アルカリ金属原子がゼーマン分裂した複数の準位に均等に分散して存在することとなる。その結果、所望のエネルギー準位のアルカリ金属原子の数が他のエネルギー準位のアルカリ金属原子の数に対して相対的に少なくなるため、所望のＥＩＴ現象を発現する原子数が減少し、所望のＥＩＴ信号の強度が小さくなり、その結果、原子発振器１の発振特性の低下をもたらす。
【００３４】
これに対し、後述するように磁場発生部８の磁場によりガスセル２内のアルカリ金属原子がゼーマン分裂した状態において、円偏光の励起光をアルカリ金属原子に照射すると、励起光とアルカリ金属原子との相互作用により、アルカリ金属原子がゼーマン分裂した複数の準位のうち、所望のエネルギー準位のアルカリ金属原子の数を他のエネルギー準位のアルカリ金属原子の数に対して相対的に多くすることができる。そのため、所望のＥＩＴ現象を発現する原子数が増大し、所望のＥＩＴ信号の強度が大きくなり、その結果、原子発振器１の発振特性を向上させることができる。
【００３５】
［光検出部］
光検出部５は、ガスセル２内を透過した励起光ＬＬ（共鳴光１、２）の強度を検出する機能を有する。
この光検出部５としては、上述したような励起光を検出し得るものであれば、特に限定されないが、例えば、太陽電池、フォトダイオード等の光検出器（受光素子）を用いることができる。
【００３６】
［ヒーター］
ヒーター６（加熱部）は、前述したガスセル２（より具体的にはガスセル２中のアルカリ金属）を加熱する機能を有する。これにより、ガスセル２中のアルカリ金属を適切な濃度のガス状に維持することができる。
このヒーター６は、通電（直流）により発熱するものであり、例えば、発熱抵抗体を含んでいる。
また、ヒーター６は、ガスセル２を加熱することができるものであれば、ガスセル２に対して非接触であってもよく、この場合、熱伝導性に優れた部材（例えば金属で構成された部材）を介してガスセル２に接続するように配置される。また、ヒーター６に代えて、または、ヒーター６と併用して、ペルチェ素子を用いて、ガスセル２を加熱してもよい。
【００３７】
［温度センサー］
温度センサー７は、ヒーター６またはガスセル２の温度を検出するものである。そして、この温度センサー７の検出結果に基づいて、前述したヒーター６の発熱量が制御される。これにより、ガスセル２内のアルカリ金属原子を所望の温度に維持することができる。
この温度センサー７の設置位置は、特に限定されず、例えば、ヒーター６上であってもよいし、ガスセル２の外表面上であってもよい。
温度センサー７としては、それぞれ、特に限定されず、サーミスタ、熱電対等の公知の各種温度センサーを用いることができる。
【００３８】
［磁場発生部］
磁場発生部８は、ガスセル２内のアルカリ金属の縮退した複数のエネルギー準位をゼーマン分裂させる磁場を発生させる機能を有する。これにより、ゼーマン分裂により、アルカリ金属の縮退している異なるエネルギー準位間のギャップを拡げて、分解能を向上させることができる。その結果、原子発振器１の発振周波数の精度を高めることができる。
【００３９】
この磁場発生部８は、例えば、ガスセル２を挟むように配置されたヘルムホルツコイル、または、ガスセル２を覆うように配置されたソレノイドコイルで構成されている。これにより、ガスセル２内に一方向の均一な磁場を生じさせることができる。
また、磁場発生部８が発生する磁場は、定磁場（直流磁場）であるが、交流磁場が重畳されていてもよい。
【００４０】
［制御部］
制御部１０は、光出射部３、ヒーター６および磁場発生部８をそれぞれ制御する機能を有する。
この制御部１０は、光出射部３の共鳴光１、２の周波数を制御する励起光制御部１２と、ガスセル２中のアルカリ金属の温度を制御する温度制御部１１と、磁場発生部８からの磁場を制御する磁場制御部１３とを有する。
【００４１】
励起光制御部１２は、前述した光検出部５の検出結果に基づいて、光出射部３から出射される共鳴光１、２の周波数を制御する。より具体的には、励起光制御部１２は、周波数差（ω１−ω２）が前述したアルカリ金属固有の周波数ω０となるように、光出射部３から出射される共鳴光１、２の周波数を制御する。
ここで、励起光制御部１２は、図示しないが、電圧制御型水晶発振器（発振回路）を備えており、その電圧制御型水晶発振器の発振周波数を光検出部５の検知結果に基づいて同期・調整しながら、その電圧制御型水晶発振器の出力信号を原子発振器１の出力信号として出力する。
【００４２】
また、励起光制御部１２は、図示しないが、この電圧制御型水晶発振器からの出力信号を周波数逓倍する逓倍器を備えており、この逓倍器により逓倍された信号（高周波信号）を直流バイアス電流に重畳して駆動信号として光出射部３に入力する。これにより、光検出部５でＥＩＴ信号が検出されるように電圧制御型水晶発振器を制御することで、電圧制御型水晶発振器から所望の周波数の信号が出力されることとなる。この逓倍器の逓倍率は、例えば、原子発振器１からの出力信号の所望の周波数をｆとしたとき、ω０／（２×ｆ）である。これにより、電圧制御型水晶発振器の発振周波数がｆであるとき、逓倍器からの信号を用いて半導体レーザー等の発光素子を変調して、周波数差（ω１−ω２）がω０となる２つの光を出射させることができる。
【００４３】
また、温度制御部１１は、温度センサー７の検出結果に基づいて、ヒーター６への通電を制御する。これにより、ガスセル２を所望の温度範囲内（例えば７０℃程度）に維持することができる。
また、磁場制御部１３は、磁場発生部８が発生する磁場が一定となるように、磁場発生部８への通電を制御する。
このような制御部１０は、例えば、基板上に実装されたＩＣチップに設けられている。
【００４４】
以上、原子発振器１の全体構成を簡単に説明したが、この原子発振器１において、光出射部３が有する発光素子は、発光状態の変動を低減する目的で、高精度に温度調節する必要がある。また、前述したように、光出射部３が有する発光素子の駆動信号として高周波信号を用いるが、その駆動信号の損失を小さくすることも必要である。
そこで、光出射部３は、発光素子を高精度に温度調節するとともに、発光素子の駆動信号の損失を低減する構成を有している。以下、光出射部３について、詳述する。
【００４５】
（光出射部（発光素子モジュール）の詳細な説明）
図４は、図１に示す原子発振器が備える光出射部（発光素子モジュール）の斜視図、図５は、図４に示す光出射部の断面図、図６は、図４に示す光出射部の平面図である。また、図７は、図４に示す光出射部が備える中継部材の断面図、図８（ａ）は、図７に示す中継部材の裏面図、図８（ｂ）は、図７に示す中継部材の表面図である。なお、以下では、説明の便宜上、図５中の上側を「上」、下側を「下」という。
光出射部３は、図４に示すように、パッケージ３１と、このパッケージ３１に収納されている温度調節素子３２（温度調節部）、発光素子３３、温度検出素子３４および中継部材３５、３６と、を有している。
【００４６】
図５に示すように、パッケージ３１は、上面に開放する凹部３１１１を有するベース３１１と、凹部３１１１の開口を塞ぐリッド３１３とを有している。これにより、リッド３１３により塞がれた凹部３１１１の内側が温度調節素子３２、発光素子３３、温度検出素子３４および中継部材３５、３６を収納する収納空間Ｓとして機能する。この収納空間Ｓは、減圧（真空）状態であることが好ましい。これにより、パッケージ３１の外部の温度変化がパッケージ３１内の発光素子３３や温度検出素子３４等に与える影響を低減し、パッケージ３１内の発光素子３３や温度検出素子３４等の温度変動を低減することができる。なお、パッケージ３１内は、減圧状態でなくともよく、また、窒素、ヘリウム、アルゴン等の不活性ガスが封入されていてもよい。
【００４７】
ベース３１１の構成材料としては、特に限定されないが、絶縁性を有し、かつ、収納空間Ｓを気密空間とするのに適した材料、例えば、アルミナ、シリカ、チタニア、ジルコニア等の酸化物系セラミックス、窒化珪素、窒化アルミ、窒化チタン等の窒化物系セラミックス、炭化珪素等の炭化物系セラミックス等の各種セラミックスなどを用いることができる。なお、ベース３１１の構成材料としてリッド３１３と同様の金属材料を用いることもできる。
【００４８】
また、ベース３１１は、凹部３１１１の底面よりも上側に形成されている段差部３１１２を有している。
この段差部３１１２には、図６に示すように、温度調節素子３２に電気的に接続されている１対の接続電極３７ａ、３７ｂと、発光素子３３に電気的に接続されている１対の接続電極３８ａ、３８ｂと、温度検出素子３４に電気的に接続されている１対の接続電極３９ａ、３９ｂと、が設けられている。図示しないが、これらの接続電極３７ａ、３７ｂ、３８ａ、３８ｂ、３９ａ、３９ｂ（外部端子）は、それぞれ、貫通電極を介して、ベース３１１の下面に設けられた外部実装電極に電気的に接続されている。
【００４９】
接続電極３７ａ、３７ｂ、３８ａ、３８ｂ、３９ａ、３９ｂ、外部実装電極および貫通電極の構成材料としては、特に限定されず、例えば、金（Ａｕ）、金合金、白金（Ｐｔ）、アルミニウム（Ａｌ）、アルミニウム合金、銀（Ａｇ）、銀合金、クロム（Ｃｒ）、クロム合金、ニッケル（Ｎｉ）、銅（Ｃｕ）、モリブデン（Ｍｏ）、ニオブ（Ｎｂ）、タングステン（Ｗ）、鉄（Ｆｅ）、チタン（Ｔｉ）、コバルト（Ｃｏ）、亜鉛（Ｚｎ）、ジルコニウム（Ｚｒ）等の金属材料を用いることができる。
【００５０】
また、ベース３１１の上端面には、枠状のメタライズ層３１２が設けられている。このメタライズ層３１２は、ろう材との密着性を高めるものである。これにより、ろう材によるベース３１１とリッド３１３との接合強度を高めることができる。
メタライズ層３１２の構成材料としては、ろう材との密着性を高めることができるものであれば、特に限定されないが、例えば、前述した接続電極３７ａ、３７ｂ、３８ａ、３８ｂ、３９ａ、３９ｂ等の構成材料で挙げたような金属材料を用いることができる。
【００５１】
図５に示すように、リッド３１３は、平板状をなしている。また、リッド３１３には、貫通孔３１３１が形成されている。この貫通孔３１３１は、励起光ＬＬに対する透過性を有する窓部材３１３２で封鎖されている。
このようなリッド３１３は、ろう材を用いてメタライズ層３１２との溶着によりベース３１１に接合されている。このろう材としては、特に限定されず、例えば、金ろう、銀ろうなどを用いることができる。
【００５２】
また、リッド３１３（窓部材３１３２以外の部分）の構成材料としては、特に限定されないが、金属材料が好適に用いられ、その中でも、ベース３１１の構成材料と線膨張係数が近似する金属材料を用いることが好ましい。したがって、例えば、ベース３１１をセラミックス基板とした場合には、リッド３１３の構成材料としてはコバール等の合金を用いることが好ましい。
【００５３】
また、窓部材３１３２は、発光素子３３から出射される光の光路上に配置されている。本実施形態では、窓部材３１３２は、板状をなしている。なお、窓部材３１３２は、板状に限定されず、例えば、レンズとして機能するように、湾曲した面を有していてもよい。
また、窓部材３１３２の構成材料としては、例えば、ガラス材料を用いることができる。
【００５４】
このようなパッケージ３１のベース３１１の凹部３１１１の底面には、温度調節素子３２が配置されている。温度調節素子３２は、ベース３１１に対して例えば接着剤により固定されている。
温度調節素子３２は、発光素子３３、温度検出素子３４および中継部材３５、３６の温度を調節する機能を有する。
【００５５】
本実施形態では、温度調節素子３２は、ペルチェ素子である。この温度調節素子３２は、一方が発熱側の面（発熱面）、他方が吸熱側の面（吸熱面）となる１対の面を有している。そして、この１対の面のうちの一方の面（下面）は、パッケージ３１のベース３１１に固定され、他方の面（上面）は、発光素子３３、温度検出素子３４および中継部材３５、３６が設置される設置面であり、温度調節される「温度調節面」を構成する。これにより、発光素子３３を好適に温度調節することができる。
【００５６】
ペルチェ素子である温度調節素子３２は、供給される電流の向きを制御することにより、温度調節素子３２の設置面を発熱面と吸熱面とで切り換えることができる。そのため、環境温度の範囲が広くても、発光素子３３等を所望の温度に温度調節することができる。ここで、温度調節面の温度は、発光素子３３の特性に応じて決められるものであり、特に限定されないが、例えば、３０℃程度である。
なお、温度調節素子３２は、ペルチェ素子に限定されず、例えば、発熱抵抗体（ヒーター）であってもよい。
【００５７】
また、温度調節素子３２は、１対の端子３２１を有しており、この１対の端子３２１は、配線９１ａ、９１ｂを介して、パッケージ３１に設けられた接続電極３７ａ、３７ｂに電気的に接続されている。これにより、１対の端子３２１に電力を供給して、温度調節素子３２を駆動することができる。配線９１ａ、９１ｂは、それぞれ、ワイヤー配線（ボンディングワイヤー）である。
また、温度調節素子３２は、温度検出素子３４の検出温度に基づいて、駆動制御される。
【００５８】
このような温度調節素子３２の上面（温度調節面）には、例えばアルミニウム、金、銀等の熱伝導性に優れる金属で構成された金属層３２３が配置されており、この金属層３２３の上面には、発光素子３３、温度検出素子３４および中継部材３５、３６が配置されている。これにより、発光素子３３、温度検出素子３４および中継部材３５、３６を温度調節素子３２により温度調節することができる。
【００５９】
発光素子３３は、例えば、垂直共振器面発光レーザー（ＶＣＳＥＬ）等の半導体レーザーである。半導体レーザーは、直流バイアス電流に高周波信号を重畳して（変調を掛けて）用いることにより、波長の異なる２種の光を出射させることができる。
また、発光素子３３は、図示しない１対の端子を有しており、この１対の端子は、一方の端子が駆動信号用の端子であり、他方の端子が接地用の端子である。駆動信号用の端子は、配線９２ａ（素子側配線）、中継部材３５（発光素子用中継部材）に設けられた配線層３５３、および、配線９２ｂ（端子側配線）を介して、パッケージ３１に設けられた接続電極３８ａに電気的に接続されている。一方、接地用の端子は、配線９２ｃ、金属層３２３および配線９２ｄを介して、パッケージ３１に設けられた接続電極３８ｂに電気的に接続されている。
【００６０】
配線９２ａ、９２ｂ、９２ｃ、９２ｄは、それぞれ、ワイヤー配線（ボンディングワイヤー）である。これにより、ワイヤーボンディングにより、配線９２ａ、９２ｂ、９２ｃ、９２ｄの形成を比較的容易となる。特に、配線層３５３の配線９２ａ、９２ｂとの接続に必要な面積を比較的小さくすることができる。そのため、配線層３５３の面積を小さくすることができる。
また、配線９２ｂが複数である。これにより、配線９２ｂの電気抵抗を小さくし、発光素子３３に供給する駆動信号の損失を低減することができる。同様の観点から、配線９２ｃ、９２ｄもそれぞれ複数である。
【００６１】
このような発光素子３３と接続電極３８ａ、３８ｂとの電気的な接続により、発光素子３３に電力を供給して駆動することができる。また、発光素子３３と接続電極３８ａ、３８ｂとを電気的に接続している配線がその途中で温度調節素子３２の温度調節面上またはこれにより温度調節された部材上を経由しているため、配線９２ａ、９２ｂ、９２ｃ、９２ｄも温度調節素子３２により温度調節される。そのため、かかる配線９２ａ、９２ｂ、９２ｃ、９２ｄの温度変動が低減され、それに伴って、発光素子３３の温度変動も低減することができる。
【００６２】
ここで、温度調節素子３２の温度調節面により温度調節される中継部材３５上の配線層３５３が、発光素子３３と接続電極３８ａとを電気的に接続している配線の途中（配線９２ａと配線９２ｂとの間）に介在している。また、温度調節素子３２の温度調節面により温度調節される金属層３２３が、発光素子３３と接続電極３８ｂとを電気的に接続している配線の途中（配線９２ｃと配線９２ｄとの間）に介在している。これにより、配線９２ａ、９２ｂ、９２ｃ、９２ｄが温度調節素子３２の温度調節面と熱的に接続されている。
【００６３】
中継部材３５は絶縁性を有しており、この中継部材３５の下面には、金属層３５２が配置され、一方、中継部材３５の上面（中継部材３５の温度調節面と反対側の面）には、配線層３５３が配置されている。ここで、中継部材３５は、絶縁性を有することにより、配線層３５３が温度調節素子３２上の金属層３２３と短絡するのを防止する機能を有する。
この中継部材３５の構成材料としては、絶縁性を有する材料であればよく、特に限定されないが、セラミックス材料を用いることが好ましい。中継部材３５がセラミックス材料を含んでいることにより、中継部材３５の絶縁性を確保することができる。また、中継部材３５の熱容量を比較的大きくすることができ、その結果、配線層３５３および配線９２ａ、９２ｂの温度変動を低減することができる。また、熱伝導性に優れたセラミックスを用いることにより、配線層３５３の温度調節を効率的に行うことができる。
【００６４】
金属層３５２は、接合材３５４を介して、金属層３２３に接合されている。接合材３５４としては、例えば、金ろう、銀ろう等のろう材を用いることができる。
この金属層３５２は、接合材３５４との密着性や接合強度を高める機能を有する。本実施形態では、図８（ａ）に示すように、金属層３５２は、中継部材３５の下面全域にわたって設けられている。これにより、前述した機能が好適に発揮される。なお、前述した機能が必要程度確保できれば、金属層３５２は、中継部材３５の下面の一部にのみ設けられていてもよい。また、配線層３５３との短絡が生じなければ、金属層３５２は、中継部材３５の側面に設けられている部分を有していてもよい。
一方、配線層３５３は、配線９２ａと配線９２ｂとを電気的に接続するものであり、発光素子３３と接続電極３８ａとを電気的に接続する配線の一部を構成している。
【００６５】
ここで、中継部材３５を介して対向する金属層３５２と配線層３５３との間には、静電容量が生じることとなる。したがって、かかる静電容量が大きいと、発光素子３３の駆動信号として高周波信号を用いたとき、その駆動信号の損失が大きくなってしまう。また、前述したように、ペルチェ素子である温度調節素子３２は、発熱面または吸熱面が金属層３２３で構成されており、配線層３５３が設けられた中継部材３５を金属層３２３上に配置すると、金属層３２３との間で静電容量が生じることとなる。また、接合材３５４についても、配線層３５３との間で静電容量が生じることとなる。
【００６６】
そこで、図８（ｂ）に示すように、配線層３５３は、中継部材３５の上面の一部に形成されている。したがって、配線層３５３は、金属層３５２と配線層３５３とが並ぶ方向から見た平面視（以下、単に「平面視」ともいう）において、金属層３２３の中継部材３５と重なる領域よりも面積が小さい。これにより、配線層３５３と金属層３５２との間の静電容量を小さくし、発光素子３３に供給する駆動信号として高周波信号を用いても、駆動信号の損失を低減することができる。また、中継部材３５の大きさをある程度確保し、その結果、中継部材３５の実装性を確保することができる。
【００６７】
また、配線層３５３は、平面視において、金属層３２３の中継部材３５と重なる領域や、接合材３５４の中継部材３５と重なる領域よりも面積が小さい。したがって、配線層３５３と金属層３２３との間や、配線層３５３と接合材３５４との間についても、上述した配線層３５３と金属層３５２との間と同様に、発光素子３３の駆動信号の損失を低減するように構成されている。
【００６８】
また、配線層３５３は、第１端部３５３１および第２端部３５３２を有し、第１端部３５３１と第２端部３５３２とが並ぶ方向に沿って延びている長手形状をなしている。そして、第１端部３５３１には、配線９２ａが接続され、一方、第２端部３５３２には、配線９２ｂが接続されている。このよう配線層３５３によれば、配線層３５３の面積を小さくしつつ、配線層３５３の配線９２ａ、９２ｂとの接続に必要な面積を確保することができる。
また、第２端部３５３２の幅Ｗ２が第１端部３５３１の幅Ｗ１よりも大きい。これにより、配線層３５３の面積を小さくしつつ、複数の配線９２ｂを配線層３５３の第２端部３５３２に接続することができる。
【００６９】
また、配線層３５３は、第１端部３５３１と第２端部３５３２との間に、第２端部３５３２側から第１端部３５３１側に向けて、幅が連続的に減少している部分３５３３を有している。これにより、発光素子３３に供給する高周波の駆動信号が配線層３５３で損失するのを低減することができる。
また、配線層３５３は、その長さが同方向における中継部材３５の上面の長さよりも短くなっている。そのため、配線層３５３の縁部は、中継部材３５の上面の縁部から離間している。これにより、配線層３５３を中継部材３５から剥がれ難くすることができる。また、配線層３５３の温度変動や温度分布の不均一化を低減することもできる。
【００７０】
このような配線層３５３や金属層３５２の構成材料としては、前述した接続電極３７ａ、３７ｂ、３８ａ、３８ｂ、３９ａ、３９ｂと同様の材料を用いることができるが、配線層３５３は、金を含んで構成された表層と、その表層と中継部材３５との間に設けられている下地層と、を有していることが好ましい。これにより、ワイヤーボンディングにより形成される配線９２ａ、９２ｂと配線層３５３との密着性、および、配線層３５３と中継部材３５との密着性を優れたものとすることができる。
ここで、配線層３５３に用いる下地層は、中継部材３５上に、チタンを含んで構成されている第１層と、パラジウムを含んで構成されている第２層とがこの順で積層されて構成されていることが好ましい。これにより、配線層３５３と中継部材３５との密着性を優れたものとすることができる。
【００７１】
一方、温度検出素子３４は、温度調節素子３２または発光素子３３の温度を検出する機能を有する。この温度検出素子３４としては、特に限定されないが、例えば、サーミスタを、熱電対等を用いることができる。
また、温度検出素子３４は、図示しない１対の端子を有しており、この１対の端子は、一方の端子が検出信号用の端子であり、他方の端子が接地用の端子である。検出信号用の端子は、配線９３ａ（温度検出素子用素子側配線）、中継部材３６（温度検出素子用中継部材）に設けられた配線層（図示せず）、および、配線９３ｂ（温度検出素子用端子側配線）を介して、パッケージ３１に設けられた接続電極３９ａに電気的に接続されている。一方、接地用の端子は、配線９３ｃ、金属層３２３および配線９３ｄを介して、パッケージ３１に設けられた接続電極３９ｂに電気的に接続されている。
配線９３ａ、９３ｂ、９３ｃ、９３ｄは、それぞれ、ワイヤー配線（ボンディングワイヤー）である。
【００７２】
このような温度検出素子３４と接続電極３９ａ、３９ｂとの電気的接続により、温度検出素子３４と接続電極３９ａ、３９ｂとを電気的に接続している配線がその途中で温度調節素子３２の温度調節面上またはこれにより温度調節された部材上を経由しているため、配線９３ａ、９３ｂ、９３ｃ、９３ｄも温度調節素子３２により温度調節される。そのため、かかる配線９３ａ、９３ｂ、９３ｃ、９３ｄの温度変動が低減され、それに伴って、温度検出素子３４の温度変動も低減することができる。すなわち、温度検出素子３４が接続電極３９ａ、３９ｂからの熱の影響を受け難くすることができる。そのため、温度検出素子３４の検出精度を高めることができ、その結果、発光素子３３の温度を高精度に制御することができる。
中継部材３６は、前述した中継部材３５と同様に構成することができる。ただし、温度検出素子３４には高周波信号を用いないため、中継部材３６の上面に設ける配線層は、中継部材３６の上面の全域にわたって設けられていてよい。
【００７３】
２．電子機器
以上説明したような原子発振器は、各種電子機器に組み込むことができる。このような電子機器は、優れた信頼性を有する。
以下、本発明の電子機器について説明する。
図９は、ＧＰＳ衛星を利用した測位システムに本発明の原子発振器を用いた場合の概略構成を示す図である。
【００７４】
図９に示す測位システム１００は、ＧＰＳ衛星２００と、基地局装置３００と、ＧＰＳ受信装置４００とで構成されている。
ＧＰＳ衛星２００は、測位情報（ＧＰＳ信号）を送信する。
基地局装置３００は、例えば電子基準点（ＧＰＳ連続観測局）に設置されたアンテナ３０１を介してＧＰＳ衛星２００からの測位情報を高精度に受信する受信装置３０２と、この受信装置３０２で受信した測位情報をアンテナ３０３を介して送信する送信装置３０４とを備える。
【００７５】
ここで、受信装置３０２は、その基準周波数発振源として前述した本発明の原子発振器１を備える電子装置である。このような受信装置３０２は、優れた信頼性を有する。また、受信装置３０２で受信された測位情報は、リアルタイムで送信装置３０４により送信される。
ＧＰＳ受信装置４００は、ＧＰＳ衛星２００からの測位情報をアンテナ４０１を介して受信する衛星受信部４０２と、基地局装置３００からの測位情報をアンテナ４０３を介して受信する基地局受信部４０４とを備える。
【００７６】
３．移動体
図１０は、本発明の移動体の一例を示す図である。
この図において、移動体１５００は、車体１５０１と、４つの車輪１５０２とを有しており、車体１５０１に設けられた図示しない動力源（エンジン）によって車輪１５０２を回転させるように構成されている。このような移動体１５００には、原子発振器１が内蔵されている。
このような移動体によれば、優れた信頼性を発揮することができる。
【００７７】
なお、本発明の原子発振器を備える電子機器は、前述したものに限定されず、例えば、携帯電話機、ディジタルスチルカメラ、インクジェット式吐出装置（例えばインクジェットプリンター）、パーソナルコンピューター（モバイル型パーソナルコンピューター、ラップトップ型パーソナルコンピューター）、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター、地上デジタル放送、携帯電話基地局等に適用することができる。
【００７８】
以上、本発明の発光素子モジュール、量子干渉装置、原子発振器、電子機器および移動体について、図示の実施形態に基づいて説明したが、本発明は、これらに限定されるものではない。
また、本発明の各部の構成は、前述した実施形態の同様の機能を発揮する任意の構成のものに置換することができ、また、任意の構成を付加することもできる。
【００７９】
また、前述した実施形態では、波長の異なる２種類の光による量子干渉効果を利用してセシウム等を共鳴遷移させる量子干渉装置を本発明の量子干渉装置の例として説明したが、本発明の量子干渉装置は、これに限定されず、光およびマイクロ波による二重共鳴現象を利用してルビジウム等を共鳴遷移させる二重共鳴装置にも適用可能である。
また、前述した実施形態では、本発明の発光素子モジュールを量子干渉装置または原子発振器に用いた場合を例に説明したが、これに限定されず、高周波信号により駆動する発光素子を用いるあらゆるデバイスに用いることができる。
【符号の説明】
【００８０】
１‥‥原子発振器  ２‥‥ガスセル  ３‥‥光出射部  ５‥‥光検出部  ６‥‥ヒーター  ７‥‥温度センサー  ８‥‥磁場発生部  １０‥‥制御部  １１‥‥温度制御部  １２‥‥励起光制御部  １３‥‥磁場制御部  ３１‥‥パッケージ  ３２‥‥温度調節素子  ３３‥‥発光素子  ３４‥‥温度検出素子  ３５‥‥中継部材  ３６‥‥中継部材  ３７ａ‥‥接続電極  ３７ｂ‥‥接続電極  ３８ａ‥‥接続電極  ３８ｂ‥‥接続電極  ３９ａ‥‥接続電極  ３９ｂ‥‥接続電極  ４１‥‥光学部品  ４２‥‥光学部品  ４３‥‥光学部品  ４４‥‥光学部品  ９１ａ‥‥配線  ９１ｂ‥‥配線  ９２ａ‥‥配線  ９２ｂ‥‥配線  ９２ｃ‥‥配線  ９２ｄ‥‥配線  ９３ａ‥‥配線  ９３ｂ‥‥配線  ９３ｃ‥‥配線  ９３ｄ‥‥配線  １００‥‥測位システム  ２００‥‥ＧＰＳ衛星  ３００‥‥基地局装置  ３０１‥‥アンテナ  ３０２‥‥受信装置  ３０３‥‥アンテナ  ３０４‥‥送信装置  ３１１‥‥ベース  ３１２‥‥メタライズ層  ３１３‥‥リッド  ３２１‥‥端子  ３２３‥‥金属層  ３５２‥‥金属層  ３５３‥‥配線層  ３５４‥‥接合材  ４００‥‥ＧＰＳ受信装置  ４０１‥‥アンテナ  ４０２‥‥衛星受信部  ４０３‥‥アンテナ  ４０４‥‥基地局受信部  １５００‥‥移動体  １５０１‥‥車体  １５０２‥‥車輪  ３１１１‥‥凹部  ３１１２‥‥段差部  ３１３１‥‥貫通孔  ３１３２‥‥窓部材  ３５３１‥‥第１端部  ３５３２‥‥第２端部  ３５３３‥‥部分  ＬＬ‥‥励起光  Ｓ‥‥収納空間  Ｗ１‥‥幅  Ｗ２‥‥幅
【図１】
2018125543.tif 000003
【図２】
2018125543.tif 000004
【図３】
2018125543.tif 000005
【図４】
2018125543.tif 000006
【図５】
2018125543.tif 000007
【図６】
2018125543.tif 000008
【図７】
2018125543.tif 000009
【図８】
2018125543.tif 000010
【図９】
2018125543.tif 000011
【図１０】
2018125543.tif 000012
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
設置面を有する温度調節素子と、
前記設置面に配置されている金属層と、
前記金属層に配置されている発光素子と、
前記金属層に配置されている中継部材と、
前記中継部材の、前記設置面と対向する面とは反対側の面に配置されている配線層と、
第１の外部端子と、
前記発光素子と前記配線層とを電気的に接続している素子側配線と、
前記第１の外部端子と前記配線層とを電気的に接続している端子側配線と、
第２の外部端子と、
前記金属層に配置されている温度検出素子と、
前記温度検出素子と前記金属層とを接続している配線と、
前記金属層と前記第２の外部端子とを接続している配線と、を備え、
前記配線層の面積は、前記金属層の前記中継部材と重なる領域の面積よりも小さい、発光素子モジュール。
【請求項２】
前記温度調節素子は、ペルチェ素子であり、
前記設置面は、前記ペルチェ素子の発熱面または吸熱面である、請求項１に記載の発光素子モジュール。
【請求項３】
前記素子側配線および前記端子側配線のうちの少なくとも一方がワイヤー配線である、請求項１または２に記載の発光素子モジュール。
【請求項４】
前記端子側配線が複数である、請求項３に記載の発光素子モジュール。
【請求項５】
前記配線層は、前記素子側配線が接続されている第１端部と、前記端子側配線が接続されている第２端部とを有し、前記第１端部と前記第２端部とが並ぶ方向が長手方向である長手形状をなしている、請求項１ないし４のいずれか１項に記載の発光素子モジュール。
【請求項６】
前記第２端部の幅が前記第１端部の幅よりも大きい、請求項５に記載の発光素子モジュール。
【請求項７】
前記配線層は、前記第２端部側から前記第１端部側に向けて、幅が連続的に減少している部分を有している、請求項６に記載の発光素子モジュール。
【請求項８】
前記中継部材は、セラミックス材料を含んでいる、請求項１ないし７のいずれか１項に記載の発光素子モジュール。
【請求項９】
前記配線層は、金を含んで構成されている表層と、前記表層と前記中継部材との間に設けられている下地層と、を有している、請求項１ないし８のいずれか１項に記載の発光素子モジュール。
【請求項１０】
前記下地層は、前記中継部材上に、チタンを含んで構成されている第１層と、パラジウムを含んで構成されている第２層とがこの順で積層されて構成されている、請求項９に記載の発光素子モジュール。
【請求項１１】
第３の外部端子と、
前記金属層に配置されている他の中継部材と、
前記他の中継部材の、前記設置面と対向する面とは反対側の面に配置されている、前記他の中継部材の配線層と、
前記温度検出素子と前記他の中継部材の配線層とを電気的に接続している配線と、
前記第３の外部端子と前記他の中継部材の配線層とを電気的に接続している配線と、
を備えている、請求項１ないし１０のいずれか１項に記載の発光素子モジュール。
【請求項１２】
請求項１ないし１１のいずれか１項に記載の発光素子モジュールを備える、量子干渉装置。
【請求項１３】
請求項１ないし１１のいずれか１項に記載の発光素子モジュールを備える、原子発振器。
【請求項１４】
請求項１ないし１１のいずれか１項に記載の発光素子モジュールを備える、電子機器。
【請求項１５】
請求項１ないし１１のいずれか１項に記載の発光素子モジュールを備える、移動体。